Podtech/llm-jp-corpus-v4-ja_patent huggingface dataset:
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
第１の鼻腔に導入可能であり、第１の鼻腔内で膨張され、第１の鼻腔内で組織に当接するように配置される第１の刺激部材と；
該第１の刺激部材を膨張させるように配置される第１の膨張部材が、少なくとも部分的に第１の刺激部材内に配置される第１の管状構造を備え、該第１の管状構造が、刺激部材と流体連通するように配置される複数の開口部を備える、該第１の膨張部材と；
第２の鼻腔に導入可能であり、第２の鼻腔内で膨張され、第２の鼻腔内で組織に当接するように配置される第２の刺激部材と、
該第２の刺激部材を膨張させるように配置される第２の膨張部材が、少なくとも部分的に第２の刺激部材内に配置される第２の管状構造を備え、該第２の管状構造が、該第２の刺激部材と流体連通するように配置される複数の開口部を備える、該第２の膨張部材とを備え；
ここで、第１および第２の膨張部材は部分的に外部管材料内に設けられ、該外部管材料にはカフが取り付けられ、該カフは、支持アーム上の対応する境界面にぴったり嵌合するように適合されたボールを備え、該支持アームは係留部材に接続され、該係留部材は、少なくとも１つの鼻腔内における振動刺激の間、該第１および第２の刺激部材を第１および第２の鼻腔内の固定位置で固定するように配置され；
該第１および第２の刺激部材の少なくとも１つは、少なくとも１つの鼻腔内の組織に振動を付与するように配置される、被験者の少なくとも１つの鼻腔内における振動刺激のためのデバイス。
【請求項２】
第１の刺激部材は、第１の鼻腔の組織に振動を付与するように配置され、第２の刺激部材は、第２の鼻腔の組織に振動を付与するように配置される、請求項１に記載のデバイス。
【請求項３】
刺激部材の少なくとも１つは、鼻腔の組織によって少なくとも１つの刺激部材に及ぼされる圧力を測定するように配置される圧力センサを備える、請求項１に記載のデバイス。
【請求項４】
係留部材は、ヘルメット、ヘッドバンド、フェイシャル・マスク、および眼鏡から成る群から選択される、請求項１〜３のいずれか１項に記載のデバイス。
【請求項５】
少なくとも１つの係留部材を被験者同士の個体差に適合させるように配置される、少なくとも１つの調節部材をさらに備える、請求項１〜４のいずれか１項に記載のデバイス。
【請求項６】
第１および第２の刺激部材はそれぞれ、例えば約５０Ｈｚ〜８０Ｈｚ、約５０Ｈｚ〜７０Ｈｚ、約６０Ｈｚ〜７０Ｈｚなど、４０Ｈｚ〜１００Ｈｚの範囲から選択された少なくとも１つの周波数で、第１および第２の鼻腔のそれぞれに対して振動を付与するように配置される、請求項１〜５のいずれか１項に記載のデバイス。
【請求項７】
第１の刺激部材は、第２の刺激部材とは異なる周波数で振動を付与するように配置される、請求項１〜６のいずれか１項に記載のデバイス。
【請求項８】
第１の刺激部材および第２の刺激部材によって付与される周波数間の差は、１０〜２０Ｈｚの範囲など、５〜３０Ｈｚの範囲である、請求項７に記載のデバイス。
【請求項９】
第１および第２の刺激部材はそれぞれ、例えば約５０ｍｂａｒ〜１２０ｍｂａｒの範囲、約７０ｍｂａｒ〜１１０ｍｂａｒの範囲、約９０ｍｂａｒ〜１０５ｍｂａｒの範囲など、約２０ｍｂａｒ〜１２０ｍｂａｒの範囲から選択される少なくとも１つの圧力で、第１および第２の鼻腔のそれぞれの組織に当接するように配置される、請求項１〜８のいずれか１項に記載のデバイス。
【請求項１０】
請求項１〜９のいずれか１項に記載のデバイスと；
デバイスの第１および第２の刺激部材の一方または両方によって、第１および第２の鼻腔の一方または両方に付与される、振動の周波数を調節するように配置される周波数調整モジュール；
デバイスの第１および第２の刺激部材の一方または両方によって、第１および第２の鼻腔の一方または両方に付与される、振動の振幅を調節するように配置される振幅調整モジュール；ならびに、
デバイスの第１および第２の刺激部材の一方または両方が、第１および第２の鼻腔の一方または両方の組織に当接する、圧力を調節するように配置される圧力調整モジュールのうち少なくとも１つとを備える、被験者の少なくとも１つの鼻腔内における振動刺激のためのシステム。
【請求項１１】
振動刺激に対する身体反応の測度を反映する入力信号を、少なくとも１つの関連する振動刺激パラメータとともに含む、データ時間サンプルを取得し格納するように配置されるデータ収集モジュールをさらに備え、振動刺激パラメータは、
第１および第２の刺激部材の一方または両方によって付与される振動の周波数；
第１および第２の刺激部材の一方または両方によって付与される振動の振幅；
第１および第２の刺激部材の一方または両方が第１および第２の鼻腔の一方または両方の組織に当接する圧力；
第１および第２の刺激部材によって付与される振動の周波数間の差；
第１および第２の刺激部材によって付与される振動の振幅間の差；
第１および第２の刺激部材が第１および第２の鼻腔の組織に当接する圧力間の差、ならびに、
振動刺激持続時間から選択される、請求項１０に記載のシステム。
【請求項１２】
第１および第２の刺激部材が第１および第２の鼻腔の組織に当接する圧力間の差は、例えば約１０ｍｂａｒ〜８０ｍｂａｒ、例えば約２０ｍｂａｒ〜５０ｍｂａｒなど、約５ｍｂａｒ〜１００ｍｂａｒの範囲である、請求項１０または１１に記載のシステム。
【請求項１３】
身体反応の測度を反映する入力信号は、第１の鼻腔の組織と第１の刺激部材との間、または第２の鼻腔の組織と第２の刺激部材との間の圧力である、請求項１０〜１２のいずれか１項に記載のシステム。
【請求項１４】
身体反応の測度を反映する入力信号は、視床下部、蝶形骨口蓋神経節、およびそれらの組み合わせから選択される、生物学的標的の活動を直接もしくは間接的に反映する、請求項１０〜１３のいずれか１項に記載のシステム。
【請求項１５】
身体反応の測度を反映する入力信号は、ｆＭＲＩによって測定される酸素消費量、ＰＥＴによって測定される代謝活性、ＭＥＧによって測定される磁気信号、ＥＥＧによって測定される電気信号、心電図（ＥＣＧ）、痛覚、心拍数、瞳孔のサイズ、体温、光電式容積脈波計測図、および血圧から成る群から選択される、請求項１０〜１４のいずれか１項に記載のシステム。
【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
（ａ）少なくとも一部分にシロキサンを結合させることのできる前面を有する本体部材を用意する工程、（ｂ）シロキサンを結合することのできる構成要素を含むオーバーコート組成物を前記シロキサンを結合することのできる表面の少なくとも一部分に適用する工程、及び（ｃ）前記オーバーコート組成物を硬化して、前記本体部材の前面にシロキサン結合を有する親水性オーバーコートを形成する工程を含む、清浄可能な物品の製造方法。
【請求項２】
前記本体部材が、（メタ）アクリレートモノマー及び（メタ）アクリレートオリゴマーからなる群から選択される少なくとも１つの硬化性成分と、複数の表面改質無機ナノ粒子とを含む硬化性混合物の反応生成物を含む、請求項１に記載の方法。
【請求項３】
前記本体部材がナノ粒子を含む高分子マトリックスを含み、前記マトリックスはシロキサンを結合することのできる粒子が露出されるように、プラズマ、コロナ及び火炎処理のうちの少なくとも１つに、本体部材の前面の少なくとも一部分を露出することにより処理される、請求項１に記載の方法。
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
燃焼ガスを浄化するための湿式スクラバであって、
―  第１端壁を備える第１端部、及び第２端壁を有する第２端部と、
―  長手軸を有するチャンバを形成するように、前記第１端部から前記第２端部まで延在する環状壁であって、前記第１端壁及び前記第２端壁とともに、内側面及び外側面を有する環状壁と、
―  前記チャンバがガス流入孔と、前記燃焼ガスを湿式スクラバから流出させるためのガス流出孔とを備え、前記ガス流入孔及び前記ガス流出孔は流体が連通するように接続され、かつ前記ガス流入孔から前記ガス流出孔へ向かう方向を下流方向とし、
―  前記チャンバの前記内面上に液体膜を分配するための、多数のスプレーノズルを備え、前記スプレーノズルは液体のコーンを形成するようになっている液体分配システムと、
―  前記環状壁の内面上で、前記液体膜を回転させるようになっている手段と、
―  前記チャンバの壁に配置された液体流出口と、を備え、
―  前記第２端部は、前記ガス流出孔を備え、前記ガス流出孔は、前記液体流出口から分離されており、前記液体流出口は、前記チャンバから液体を導引することを可能にするために、前記チャンバの最も低い点に配置されていることを特徴とする湿式スクラバ。
【請求項２】
前記液体吐出口は、前記チャンバの内側面上における前記液体を、前記内面に対して回転させるようになっている請求項１に記載の湿式スクラバ。
【請求項３】
前記液体分配システムが、多数の延長管を備えており、この延長管が、
中央の液体用導管と流体が連通するように接続された第１端部と、液体を放射するようになっている第２端部とを備えており、
前記第１端部と該第２端部とが流体が連通するように接続されている請求項１又は２に記載の湿式スクラバ。
【請求項４】
前記チャンバの壁は、少なくとも一つの液体流出口を備えている請求項１〜３のいずれかに記載の湿式スクラバ。
【請求項５】
前記延長管の第２端部は管流出部を備えており、かつ、前記管流出部の軸線は、下流方向へ一定角度をもって前記内側壁へ向かうように配置されている請求項３又は４に記載の湿式スクラバ。
【請求項６】
前記チャンバの前記長手軸は、ほぼ水平をなしている請求項１〜５のいずれかに記載の湿式スクラバ。
【請求項７】
前記チャンバとチャンバの長手軸は、傾斜している請求項１〜６のいずれかに記載の湿式スクラバ。
【請求項８】
前記液体分配システムは、前記チャンバの内部のノズルと流体が連通するように接続するように、ほぼ中央に配置されている導管と、液体分配部とを備えている請求項１〜７のいずれかに記載の湿式スクラバ。
【請求項９】
前記チャンバは、チャンバ内の前記ガスからのエネルギを蓄えるようになっている熱交換手段を備える請求項１〜８のいずれかに記載の湿式スクラバ。
【請求項１０】
燃焼ガスを浄化する方法であって、
―  請求項１〜９のいずれかに記載の湿式スクラバを配備するステップと、
―  前記チャンバの内側面上に液体層を形成するように、前記液体分配システムを通じて液体を注入するステップと、
―  前記液体層を前記チャンバの内側面に対して回転させるステップと、
―  前記ガス流入孔を通じて浄化される汚染ガスを注入するステップと、
―  前記ガスを前記液体に接触させるステップと、
―  前記チャンバのガス流出孔から前記浄化されたガスを排出するステップ
とを備える方法。
【請求項１１】
請求項１０の燃焼ガスを浄化する方法であって、
―  前記チャンバ内の前記ガス用の直線通路を部分的に遮るように、液体を前記チャンバ内へとスプレーするステップを、さらに備える方法。
【請求項１２】
燃焼ガスを浄化するための請求項１〜９のいずれかに記載の湿式スクラバの使用方法。
【請求項１３】
船舶のエンジンからの排気を浄化するための請求項１〜９のいずれかに記載の湿式スクラバの使用方法であって、前記チャンバの長手軸が、船舶の水線とほぼ平行である使用方法。
【請求項１４】
請求項１〜９のいずれかに記載の湿式スクラバを備える船舶であって、前記湿式スクラバを持つ少なくとも一つのチャンバの前記長手軸が、水平とされていることを特徴とする船舶。
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
ＣＨＡ骨格を有するアルミノケイ酸塩モレキュラーシーブ及びＣＨＡ骨格を有するシリコアルミノリン酸塩モレキュラーシーブの混合物を含む触媒組成物であって、
ａ．前記アルミノケイ酸塩モレキュラーシーブ及び前記シリコアルミノリン酸塩モレキュラーシーブが、約０．８：１．０から約１．２：１．０のアルミノケイ酸塩：シリコアルミノリン酸塩モル比で存在し、かつ
ｂ．前記アルミノケイ酸塩モレキュラーシーブが第一の骨格外金属を含み、前記シリコアルミノリン酸塩モレキュラーシーブが第二の骨格外金属を含み、ここで、前記第一及び第二の骨格外金属は、セシウム、銅、ニッケル、亜鉛、鉄、スズ、タングステン、モリブデン、コバルト、ビスマス、チタン、ジルコニウム、アンチモン、マンガン、クロム、バナジウム、ニオブ及びそれらの組み合わせからなる群から独立に選択され、前記第一の骨格外金属は前記アルミノケイ酸塩の重量に基づき約２から約４重量パーセントで存在し、前記第一の骨格外金属と前記第二の骨格外金属との重量比は約０．４：１．０から約１．５：１．０である、
触媒組成物。
【請求項２】
前記第一及び第二の交換金属が、銅及び鉄からなる群から独立に選択される、請求項１に記載の触媒組成物。
【請求項３】
前記アルミノケイ酸塩が、約１０から約３５のシリカ対アルミナ比（ＳＡＲ）を有する、請求項１に記載の触媒組成物。
【請求項４】
前記アルミノケイ酸塩モレキュラーシーブが、約０．５から約５ミクロンの平均結晶サイズを有する、請求項１に記載の触媒組成物。
【請求項５】
リーンバーン燃焼排ガス中におけるＮＯｘを処理するための方法であって、
ａ．１超のラムダ及び少なくとも１つのＮＯｘ化合物を有する排ガス混合物を、還元剤ならびにＣＨＡ骨格を有する第一のモレキュラーシーブ及びＣＨＡ骨格を有する第二のモレキュラーシーブの混合物を含む触媒と接触させるステップであって、ここで、（ｉ）前記第一のモレキュラーシーブはアルミノケイ酸塩であり、前記第二のモレキュラーシーブはシリコアルミノリン酸塩であり、前記第一及び第二のモレキュラーシーブはそれぞれ約０．８：１．０から約１．２：１．０のモル比で存在し、かつ（ｉｉ）前記第一のモレキュラーシーブは第一の交換金属を含み、前記第二のモレキュラーシーブは第二の交換金属を含み、ここで、前記第一及び第二の交換金属は、セシウム、銅、ニッケル、亜鉛、鉄、スズ、タングステン、モリブデン、コバルト、ビスマス、チタン、ジルコニウム、アンチモン、マンガン、クロム、バナジウム、ニオブ及びそれらの組み合わせからなる群から独立に選択され、前記第一の交換金属と前記第二の交換金属との重量比は約０．４：１．０から約０．８：１．０であるステップと、
ｂ．前記ＮＯｘの少なくとも一部を選択的に還元してＮ２及びＨ２Ｏとするステップとを含み、
ここで、前記接触させるステップは約２００から約５００℃の温度で起こる、方法。
【請求項６】
前記接触させるステップの前に、前記触媒を少なくとも約８００℃の温度に曝露するステップをさらに含む、請求項５に記載の方法。
【請求項７】
触媒物品であって、
ａ．ＣＨＡ骨格を有する第一のモレキュラーシーブ及びＣＨＡ骨格を有する第二のモレキュラーシーブの混合物を含む触媒であって、ここで、（ｉ）前記第一のモレキュラーシーブはアルミノケイ酸塩であり、前記第二のモレキュラーシーブはシリコアルミノリン酸塩であり、前記第一及び第二のモレキュラーシーブはそれぞれ約０．８：１．０から約１．２：１．０のモル比で存在し、かつ（ｉｉ）前記第一のモレキュラーシーブは第一の交換金属を含み、前記第二のモレキュラーシーブは第二の交換金属を含み、ここで、前記第一及び第二の交換金属は、セシウム、銅、ニッケル、亜鉛、鉄、スズ、タングステン、モリブデン、コバルト、ビスマス、チタン、ジルコニウム、アンチモン、マンガン、クロム、バナジウム、ニオブ及びそれらの組み合わせから独立に選択され、前記第一の交換金属と前記第二の交換金属との重量比は約０．４：１．０から約０．８：１．０である触媒と、
ｂ．ディーゼル排ガスから粒子を除去するように適合された多孔質フィルタと
を備え、
ここで、前記触媒は前記多孔質フィルタ上及び／又は内に配置されている、触媒物品。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
修正された高速同期式シリアルインターフェース(HSI)プロトコルを使用して動作するように構成された電子デバイスであって、
送信通信インターフェースを備え、前記送信通信インターフェースが、
前記電子デバイスからのデータを搬送するように構成されたデータパスを提供するための手段と、
HSIプロトコル準拠READY信号を搬送するように構成されたレディパスを提供するための手段と、
FLAG信号を搬送するように構成されたフラグパスを提供するための手段とを備え、
前記送信通信インターフェースが、
データパスを提供するための前記手段および前記1つまたは複数の追加のデータパスを提供するための手段は、前記データパスおよび前記1つまたは複数の追加のデータパスを介してストライプ化されたHSIプロトコル準拠データを搬送するように、前記データパスを提供するための手段によって搬送される前記データに並列で前記電子デバイスからの追加のデータを搬送するように構成された1つまたは複数の追加のデータパスを提供するための手段をさらに備える電子デバイス。
【請求項２】
前記データパスを提供するための手段が前記電子デバイスからのデータを搬送するように構成されたHSIプロトコルデータパスを備え、レディパスを提供するための手段がHSIプロトコル準拠READY信号を搬送するように構成されたHSIプロトコルレディパスを備え、フラグパスを提供するための手段がFLAG信号を搬送するように構成されたHSIプロトコルFLAGパスを備える、請求項1に記載の電子デバイス。
【請求項３】
前記HSIプロトコル準拠データはフレーム化される、請求項2に記載の電子デバイス。
【請求項４】
フレーム化されたデータは、前記データパスおよび前記1つまたは複数の追加のデータパス上の各データストリーム内のフレームビットによって示される、請求項3に記載の電子デバイス。
【請求項５】
前記HSIプロトコル準拠データは、前記データパスおよび前記1つまたは複数の追加のデータパス上で伝達されるチャネル識別子(CHID)を含む、請求項2に記載の電子デバイス。
【請求項６】
前記1つまたは複数の追加のデータパスは、1つ、3つ、または7つの追加のデータパスを備える、請求項1から5のいずれか一項に記載の電子デバイス。
【請求項７】
前記HSIプロトコルデータパスおよび前記1つまたは複数の追加のデータパスを介してストライプ化されるデータは、前記データパスを介してストライプ化されるチャネル識別ビット、前記HSIプロトコルデータパス上の第1の情報ビット、または4つのデータパスを介してストライプ化される情報ビットを含む、請求項1に記載の電子デバイス。
【請求項８】
複数の受信データパスを備える受信通信インターフェースをさらに備える、請求項1から7のいずれか一項に記載の電子デバイス。
【請求項９】
各々が前記データパスおよび前記1つまたは複数の追加のデータパスのうちのそれぞれのデータパスを搬送するように構成された複数のインターフェースピンをさらに備える、請求項1から8のいずれか一項に記載の電子デバイス。
【請求項１０】
半導体ダイに組み込まれた、請求項1から9のいずれか一項に記載の電子デバイス。
【請求項１１】
複数の受信データパスを介してストライプ化されたHSI準拠データを受信するように構成された複数の受信データパスをさらに備える、請求項1から10のいずれか一項に記載の電子デバイス。
【請求項１２】
前記1つまたは複数の追加のデータパスは、前記送信通信インターフェースから一方向に前記データを搬送することのみを行うように構成される、請求項1から11のいずれか一項に記載の電子デバイス。
【請求項１３】
前記電子デバイスにおいて第2のデータを受信するように構成された第2のHSIプロトコルデータパスと、
第2のFLAG信号を受信するように構成された第2のHSIプロトコルFLAGパスと、
第2のHSIプロトコル準拠READY信号を送信するように構成された第2のHSIプロトコルレディパスとを備える受信通信インターフェースをさらに備え、
前記受信通信インターフェースは、
前記第2のHSIプロトコルデータパスおよび前記1つまたは複数の追加の第2のデータパスは、前記第2のHSIプロトコルデータパスおよび前記1つまたは複数の追加の第2のデータパスを介してストライプ化されたHSIプロトコル準拠データを受信するように、前記第2のHSIプロトコルデータパスによって受信される前記第2のデータに並列で追加の第2のデータを受信するように構成された1つまたは複数の追加の第2のデータパスをさらに備える、請求項1から12のいずれか一項に記載の電子デバイス。
【請求項１４】
前記受信通信インターフェースにおいて前記第2のデータを受信するように構成された前記1つまたは複数の追加の第2のデータパスの数は、前記送信通信インターフェースにおいて前記データを送信するように構成された前記1つまたは複数の追加のデータパスの数と等しくないか、または、前記受信通信インターフェースにおいて前記第2のデータを受信するように構成された前記1つまたは複数の追加の第2のデータパスの数は、前記送信通信インターフェースにおいて前記データを送信するように構成された前記1つまたは複数の追加のデータパスの数と等しい、請求項13に記載の電子デバイス。
【請求項１５】
修正された高速同期式シリアルインターフェース(HSI)プロトコルデバイスを動作させるための方法であって、
HSIプロトコル準拠READY信号を搬送するように構成されたレディパスを提供するステップと、
FLAG信号を搬送するように構成されたフラグパスを提供するステップと、
HSIプロトコル準拠データが前記少なくとも2つのデータパスを介してストライプ化されるように、電子デバイスからのデータを並列で搬送するように構成された少なくとも2つの送信データパスを提供するステップとを含む方法。
【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
コンピューターが実行する方法であって、
コンピュータープログラムを見せるステップと、
見せた前記コンピュータープログラムから、ソースコードの１つまたは複数の行を含む第１のコード部分を選択するステップと、
選択した前記第１のコード部分の実行のために、前記ソースコードに関連した言語モデルに基づき、演算子の優先順位を決定するステップであって、演算子の前記優先順位は、選択した前記第１のコード部分の演算子が、他の演算子に対して、選択した前記第１のコード部分が実行されたときにどのように実行されるかの優先順位を表す、ステップと、
演算子の前記優先順位を示すグラフィカル表現を提供するステップと、
前記グラフィカル表現に従う演算子の前記優先順位を表示するステップと
を含む、コンピューターが実行する方法。
【請求項２】
請求項１に記載のコンピューターが実行する方法であって、前記コンピュータープログラムはソースコード・ビューワーにおいて見せる、コンピューターが実行する方法。
【請求項３】
請求項１に記載のコンピューターが実行する方法であって、前記コンピュータープログラムは編集エンジンにおいて見せる、コンピューターが実行する方法。
【請求項４】
請求項１に記載のコンピューターが実行する方法であって、
演算子の前記優先順位を線表現形式で表示するためのグラフィカル表現を指定するステップ
をさらに含むコンピューターが実行する方法。
【請求項５】
請求項１に記載のコンピューターが実行する方法であって、
演算子の前記優先順位をツリー表現形式で表示するためのグラフィカル表現を指定するステップ
をさらに含むコンピューターが実行する方法。
【請求項６】
請求項１に記載のコンピューターが実行する方法であって、
演算子の前記優先順位を色付きテキスト表現形式で表示するためのグラフィカル表現を指定するステップ
をさらに含むコンピューターが実行する方法。
【請求項７】
請求項１に記載のコンピューターが実行する方法であって、
演算子の前記優先順位を数値による順序表現形式で表示するためのグラフィカル表現を指定するステップ
をさらに含むコンピューターが実行する方法。
【請求項８】
請求項１に記載のコンピューターが実行する方法であって、
演算子の前記優先順位を並列表現形式で表示するためのグラフィカル表現を指定するステップ
をさらに含むコンピューターが実行する方法。
【請求項９】
請求項１に記載のコンピューターが実行する方法であって、選択する前記ステップは、
前記第１のコード部分を入力セレクターの使用を介して指定するステップ
をさらに含む、コンピューターが実行する方法。
【請求項１０】
請求項１に記載のコンピューターが実行する方法であって、
演算子の前記優先順位を、選択した前記第１のコード部分が表示される視覚的ディスプレイ・ウィンドウと同じ視覚的ディスプレイ・ウィンドウ内に表示するためのグラフィカル表現を指定するステップ
をさらに含むコンピューターが実行する方法。
【請求項１１】
請求項１に記載のコンピューターが実行する方法であって、
演算子の前記優先順位を、前記第１のコード部分が表示されるところとは異なる視覚的ディスプレイ・ウィンドウ内に表示するためのグラフィカル表現を指定するステップ
をさらに含むコンピューターが実行する方法。
【請求項１２】
少なくとも１つのプロセッサーとメモリとを含むデバイスであって、前記少なくとも１つのプロセッサーは、
ソースコードを見せ、
見せた前記ソースコードの部分を選択し、
ソースコードの選択した前記部分についての演算子の優先順位を示すグラフィカル表現を生成し、演算子の前記優先順位は、前記ソースコードの選択した前記部分の式内の演算子が、ソースコードの選択した前記部分が実行されたときにどのように実行されるかの優先順位を表し、
演算子の前記優先順位の前記グラフィカル表現を、ソースコードの選択した前記部分の視覚的ディスプレイを用いて表示する
ように構成された、デバイス。
【請求項１３】
請求項１２に記載のデバイスであって、前記少なくとも１つのプロセッサーは、
演算子の前記優先順位の前記グラフィカル表現を、表示された前記ソースコードの選択した前記部分の少なくとも１つの行内に表示する
ようにさらに構成された、デバイス。
【請求項１４】
請求項１２に記載のデバイスであって、前記少なくとも１つのプロセッサーは、
演算子の前記優先順位の前記グラフィカル表現を、視覚的に表示される前記ソースコードの選択した部分とは別のウィンドウにおいて表示する
ようにさらに構成された、デバイス。
【請求項１５】
請求項１２に記載のデバイスであって、前記少なくとも１つのプロセッサーは、
選択的に、演算子の前記優先順位の前記グラフィカル表現の部分を、ゴースト化されたグラフィック要素と置き換えることを可能にする
ようにさらに構成された、デバイス。
【請求項１６】
請求項１２に記載のデバイスであって、前記少なくとも１つのプロセッサーは、
選択的に、演算子の前記優先順位の前記グラフィカル表現の部分が、つぶされ視覚的に表示されないようにすることを可能にする
ようにさらに構成された、デバイス。
【請求項１７】
少なくとも１つのコンピューティングデバイスを含むシステムであって、前記少なくとも１つのコンピューティングデバイスは少なくとも１つの処理装置とメモリとを含み、前記少なくとも１つの処理装置は、
ソースコードを見せ、
見せた前記ソースコードの部分を選択し、
見せた前記ソースコードの選択した前記部分に関連した構文木を取得し、
見せたソースコードの選択した前記部分についての演算子の優先順位を示すグラフィカル表現を、前記構文木から生成し、演算子の前記優先順位は、見せた前記ソースコードの選択した前記部分の演算子が、他の演算子に対して、見せた前記ソースコードの選択した前記部分が実行されたときにどのように実行されるかの優先順位を表し、
前記グラフィカル表現に従う演算子の前記優先順位を表示し、
演算子の前記優先順位の前記グラフィカル表現を、視覚的に表示される、見せた前記ソースコードの選択した部分を用いて表示する
ように構成された、システム。
【請求項１８】
請求項１７に記載のシステムであって、前記少なくとも１つの処理装置は、前記ソースコードを、ソースコード・ビューワーにおいて、ウェブブラウザを介して見せるようにさらに構成された、システム。
【請求項１９】
請求項１７に記載のシステムであって、前記少なくとも１つの処理装置は、見せた前記ソースコードの選択した前記部分に関連した前記構文木を、遠隔のソースから取得するようにさらに構成された、システム。
【請求項２０】
請求項１７に記載のシステムであって、演算子の前記優先順位の前記グラフィカル表現は、線表現形式と、ツリー表現形式と、色付きテキスト表現形式と、数値による順序表現形式と、並列表現形式とのうちの少なくとも１つを含む、システム。
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
患者(102)のボディエリアネットワーク(BAN)(100)をロック解除して医学データを送信する方法であって、
ワイヤレスデバイスによる前記BANへのアクセスが許可されるように、前記患者によって実施される、あらかじめ定義された患者アクションに基づいて前記BANをロック解除するステップ(303, 312)と、
前記BANを前記ワイヤレスデバイスに接続するステップ(305, 314)と、
前記ワイヤレスデバイスによって前記患者のBAN医学データを送信するステップと
を含み、前記BANをロック解除するための前記あらかじめ定義された患者アクションが、あらかじめ指定された身体部分を圧迫すること、または、あらかじめ指定された身体動作を含む、方法。
【請求項２】
患者のボディエリアネットワーク(BAN)をロック解除して医学データを送信する方法であって、
あらかじめ定義された前記患者の身体変化が起きたか、および/または、前記患者があらかじめ定義された患者アクションを実施することができないかどうか判断するステップ(304)と、
あらかじめ定義された前記患者の身体変化が起きたこと、および/または、前記患者があらかじめ定義された患者アクションを実施することができないことを判断すると、
ワイヤレスデバイスによる前記BANへのアクセスが許可されるように、前記BANを自動的にロック解除するステップ(306)と、
前記BANを前記ワイヤレスデバイスに接続するステップ(314)と、
前記ワイヤレスデバイスによって前記患者のBAN医学データを送信するステップと(316)と
を含む、方法。
【請求項３】
前記BANが、ボディエリアコントローラ(BAC)(110)および1つまたは複数のボディセンサユニット(BSU)(104, 120, 1222, 124, 126, 128, 130, 132, 134)を含む、請求項1又は2に記載の方法。
【請求項４】
ロック解除するステップに続いて、前記BANが前記患者のワイヤレスデバイスに接続され、前記患者の前記ワイヤレスデバイスが、前記患者の前記BAN医学データを緊急サービス(410)に送信する(320)、請求項1又は2に記載の方法。
【請求項５】
ロック解除するステップに続いて、前記BANが救助者のワイヤレスデバイスに接続され、前記救助者の前記ワイヤレスデバイスが、前記患者の前記BAN医学データを緊急サービスに送信する、請求項1又は2に記載の方法。
【請求項６】
ロック解除するステップに続いて、前記BANが緊急要員のワイヤレスデバイス(501)に接続され、前記緊急要員の前記ワイヤレスデバイスが、前記患者の前記BAN医学データを医学データサーバ(612)に送信する、請求項1又は2に記載の方法。
【請求項７】
前記緊急要員の前記ワイヤレスデバイスが、前記医学データサーバから、前記患者についての医学データをさらに受信する、請求項6に記載の方法。
【請求項８】
ロック解除するステップに続いて、前記BANが、医療支援担当者のワイヤレスデバイス(601)に接続され、前記医療支援担当者の前記ワイヤレスデバイスが、前記患者の前記BAN医学データを医学データサーバ(612)に送信する、請求項1又は2に記載の方法。
【請求項９】
前記医療支援担当者の前記ワイヤレスデバイスが、前記医学データサーバから前記患者についての医学データをさらに受信する、請求項8に記載の方法。
【請求項１０】
前記ワイヤレスデバイスを使って、前記BANからの情報を処理するステップを含む、請求項1に記載の方法。
【請求項１１】
あらかじめ定義された患者アクションが患者によって実施されたと判断すると、ワイヤレスデバイスによるボディエリアネットワーク(BAN)へのアクセスが許可されるように、前記患者の前記BANをロック解除する手段と、
前記BANをロック解除することに続いて、前記BANをワイヤレスデバイスに接続する手段と、
前記BANをロック解除することに続いて、前記ワイヤレスデバイスによって前記患者のBAN医学データを送信する手段と
を備え、前記BANをロック解除するための前記あらかじめ定義された患者アクションが、あらかじめ指定された身体部分を圧迫すること、または、あらかじめ指定された身体動作を含む、ボディエリアコントローラ(BAC)(110)。
【請求項１２】
あらかじめ定義された患者の身体変化が起きたか、および/または、前記患者があらかじめ定義された患者アクションを実施することができないかどうか判断する手段と、
あらかじめ定義された前記患者の身体変化が起きたこと、および/または、前記患者があらかじめ定義された患者アクションを実施することができないことを判断すると、ワイヤレスデバイスによるボディエリアネットワーク(BAN)へのアクセスが許可されるように、前記BANを自動的にロック解除する手段と、
前記BANをロック解除することに続いて、前記ワイヤレスデバイスが前記患者のBAN医学データを送信するように、前記BANをワイヤレスデバイスに接続する手段と
を備えた、ボディエリアコントローラ(BAC)(110)。
【請求項１３】
請求項3乃至10のいずれかに記載の方法を実行するための手段を備えた請求項11又は12に記載のBAC。
【請求項１４】
請求項1乃至10のいずれかに記載の方法を実行するためのコードを含むコンピュータプログラム。
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
会議の記録を生成するためのコンピューターによって実施される方法であって、
招待された参加者についての指示を含む会議の通知を生成するステップと、
前記会議について、第１のアプリケーション環境内に専用の会議ノートブック構成要素を作成するステップであって、前記専用の会議ノートブック構成要素は、前記会議との関連付け及び共有メモ領域を含み、前記専用の会議ノートブック構成要素の前記共有メモ領域は、前記会議に関して会議メモの蓄積を容易にする、ステップと、
前記専用の会議ノートブック構成要素が作成されたという指示を、前記専用の会議ノートブック構成要素が前記招待された参加者によってどのようにアクセスされるかについての指示とともに、前記招待された参加者の各々に対して自動的に提供するステップであって、前記専用の会議ノートブック構成要素が作成されたという前記指示は、前記専用の会議ノートブック構成要素が作成される前記第１のアプリケーション環境の外部の第２のアプリケーション環境内で提供される、ステップと、
前記専用の会議ノートブック構成要素の共有メモ領域の中に会議メモを受け取るステップであって、前記共有メモ領域は、前記会議の記録が複数の参加者によって協働で作成されるように、前記会議メモを、同時に前記会議の前記複数の参加者の各々から個別に受け取る、ステップと
を含むコンピューターによって実施される方法。
【請求項２】
前記第１のアプリケーション環境はメモをとるアプリケーションを含み、前記第２のアプリケーション環境はオンライン会議アプリケーションまたはスケジューリングアプリケーションを含む請求項１に記載の方法。
【請求項３】
前記会議メモを受け取るステップは、前記会議が行われた後に会議メモを受け取るステップをさらに含む請求項１に記載の方法。
【請求項４】
前記会議メモを受け取るステップは、前記会議が行われる前に会議メモを受け取るステップを含む請求項１に記載の方法。
【請求項５】
前記会議メモを受け取るステップは、前記会議が行われている間、および前記会議が行われた後に会議メモを受け取るステップを含む請求項１に記載の方法。
【請求項６】
前記会議に関係する情報のアイテムを前記共有メモ領域に自動的に組み込むことによって前記専用の会議ノートブック構成要素を自動的にエンハンスするステップであって、前記情報のアイテムはテキストではないメディアコンテンツを少なくとも含む、ステップをさらに含む請求項１に記載の方法。
【請求項７】
前記自動的に組み込むことは、前記第１のアプリケーション環境の外部の前記第２のアプリケーション環境から獲得された情報のアイテムを自動的に組み込むことをさらに含み、前記第１のアプリケーション環境は、前記専用の会議ノートブック構成要素が作成されたノートをとるアプリケーションを含む請求項６に記載の方法。
【請求項８】
前記情報のアイテムは、前記参加者のうちの少なくとも１名がいつ、特定の会議イベントに参加したかの指示を少なくともさらに含む請求項６に記載の方法。
【請求項９】
前記情報のアイテムは、前記参加者のうちの少なくとも１名がいつ、前記共有メモ領域の中にメモを掲示したかの指示を含む請求項６に記載の方法。
【請求項１０】
会議の記録を生成するコンピューターによって実施される方法であって、
会議に招待された参加者についての指示を少なくとも含む会議の通知を生成するステップと、
前記会議について専用の会議ノートブック構成要素を作成するステップであって、前記専用の会議ノートブック構成要素は、前記会議との関連付けと、前記会議に関する会議メモの蓄積のための共有メモ領域とを含む、ステップと、
前記会議が行われる前に、
前記専用の会議ノートブック構成要素が作成されたという指示を、前記専用の会議ノートブック構成要素が前記招待された参加者によってどのようにアクセスされるかについての指示とともに、前記招待された参加者の各々に対して自動的に提供するステップと、
前記専用の会議ノートブック構成要素の共有メモ領域の中に会議メモを受け取るステップであって、前記共有メモ領域は、前記会議の記録が複数の招待された参加者によって協働で作成されるように、前記会議メモを、前記招待された参加者のうちの前記複数の招待された参加者から個別に受け取る、ステップと
を含むコンピューターによって実施される方法。
【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
液体試料を撮像する際に使用するための装置であって、
試料を当該装置に受け入れるための入口と、
接続導管と、
前記試料を光学的に検出するための検出チャンバとを含み、
前記接続導管は、前記入口を前記検出チャンバに接続し、
前記接続導管は、前記試料が前記接続導管を通過するとき、前記試料と反応するための１以上の乾燥試薬を含み、
前記接続導管の少なくとも一つの寸法は、前記入口の最小寸法よりも小さく、前記検出チャンバの少なくとも一つの寸法は、前記接続導管の最小寸法よりも小さい、ことを特徴とする装置。
【請求項２】
前記試料は血液試料であり、前記１以上の乾燥試薬は、前記血液試料中の赤血球の選択的溶解のための溶血剤と、前記血液試料中の白血球を選択的に染色するための染色剤とを含む、請求項１に記載の装置。
【請求項３】
前記接続導管は、主要導管部と、前記主要導管部から延びる１以上の突出部とを含み、前記乾燥試薬は前記１以上の突出部および前記１以上の突出部間の各接合領域に格納され、前記主要導管部は、前記乾燥試薬の漸進的な再懸濁が発生する可能性のある反応領域を提供する、請求項１または請求項２に記載の装置。
【請求項４】
前記突出部は、主要部と前記接合領域におけるネック部とを含み、前記ネック部は、前記主要部よりも前記主要導管部に沿ってより小さな断面積を有する、請求項３に記載のデバイス。
【請求項５】
前記接続導管は、蛇行形状である、先行請求項のいずれかに記載の装置。
【請求項６】
前記接続導管は、さらに乾燥形態にある安定剤を含む、先行請求項のいずれかに記載の装置。
【請求項７】
前記接続導管は、さらに乾燥形態にある界面活性剤を含む、先行請求項のいずれかに記載の装置。
【請求項８】
試料の所定の容積を保持するように構成された計量チャンバであって、前記入口と前記接続導管とに流体接続された計量チャンバと、
前記計量チャンバと前記接続導管との間で試料を分割するために、前記計量チャンバおよび前記接続導管の間に配置されたスプリット機能と、
前記計量チャンバと流体接続され、前記試料の所定の容積を受信するように構成された下流チャンバとをさらに含み、
当該装置は、前記下流チャンバに液体の流れを駆動するために回転軸を中心に回転するように配置されており、好ましくは、前記スプリット機能は、遠心力に応答して、前記計量チャンバ中の試料の容積を前記接続導管内の試料の容積から分離するように配置される、先行請求項のいずれかに記載の装置。
【請求項９】
前記下流チャンバと流体接続するオーバーフローチャンバをさらに含み、前記下流チャンバと流体接続するサイフォンをさらに含み、当該装置が遠心力を受け、サイフォンがプライミングされたとき、試料の所定の容積が前記下流チャンバ内の試料から吸い上げられるように、サイフォンの入口は前記下流チャンバの一部から径方向内側に配置される、請求項８に記載の装置。
【請求項１０】
乾燥抗凝固剤が前記計量チャンバに格納される、請求項８または請求項９に記載の装置。
【請求項１１】
前記計量チャンバは表面張力バリアを含み、表面張力バリアが前記計量チャンバと前記下流チャンバの間の毛管駆動流を停止するように構成される、請求項８から１０のいずれかに記載の装置。
【請求項１２】
廃棄チャンバをさらに含み、前記廃棄チャンバは前記検出チャンバと流体接続され、前記検出チャンバから遠心力で駆動されたオーバーフローを受け取るために、前記検出チャンバから径方向内側に配置される、請求項８から１１のいずれかに記載の装置。
【請求項１３】
請求項１から１２のいずれかに記載の装置を含む、試料を撮像するためのシステムであって、当該システムは、
前記検出チャンバまたは前記下流チャンバ、あるいはその両方の中の試料の少なくとも一つの画像を取得する撮像部をさらに含むことを特徴とするシステム。
【請求項１４】
当該装置を回転させるためのドライブをさらに含む、請求項１３に記載のシステム。
【請求項１５】
前記検出チャンバ内の試料の少なくとも一つの画像を処理するように構成されたプロセッサをさらに含み、試料が血液試料である場合、画像における染色された細胞を分割するために、前記プロセッサは、下流チャンバ内および好ましくはオーバーフローチャンバ内の血液試料のヘマトクリット割合を決定するようにさらに構成された、請求項１３または１４に記載のシステム。
【請求項１６】
液体試料を撮像する方法であって、前記方法は、
カートリッジの第１チャンバに試料を挿入するステップと、
毛細管現象によって第１チャンバから接続導管を通って検出チャンバへ試料を流れさせるステップと、
試料が前記接続導管を通って流れる間に徐々に試料中の１以上の乾燥試薬を再懸濁させるステップと、
前記検出チャンバ内の試料の少なくとも一つの画像を取得するステップとを含むことを特徴とする方法。
【請求項１７】
前記試料は血液試料であり、前記１以上の乾燥試薬は、前記血液試料中の赤血球の選択的溶解のための溶血剤と、前記血液試料中の白血球を選択的に染色するための染色剤とを含む、請求項１６に記載の方法。
【請求項１８】
好ましくは、前記検出チャンバ内で溶解し染色された血液の得られた画像を所定の画像のプロパティのしきい値と比較することによって、画像細胞分割および白血球の分類を実行するステップをさらに含む、請求項１７に記載の方法。
【請求項１９】
毛管作用によって計量チャンバを試料で充填するステップをさらに含む、請求項１６から１８のいずれかに記載の方法。
【請求項２０】
前記第１チャンバと前記計量チャンバは共通の入口から充填される、請求項１９に記載の方法。
【請求項２１】
前記計量チャンバ内に含まれる試料が遠心力によって前記計量チャンバから前記下流チャンバに移動されるように、前記カートリッジを回転させるステップをさらに含む、請求項１９または請求項２０に記載の方法。
【請求項２２】
前記下流チャンバ内の血漿から細胞物質を分離するために前記カートリッジを回転させるステップと、いったん細胞物質が分離されると前記下流チャンバ内の試料を撮像するステップとをさらに含む、請求項２１に記載の方法。
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
アプリケーションが使用されている間にエンゲージメントポーズを検出するためのステップと、
複数の入力解釈コンテキストの中から入力解釈コンテキストを選択するためのステップであって、前記複数の入力解釈コンテキストは、使用されている前記アプリケーションに関連付けられ、前記選択は、前記検出されたエンゲージメントポーズと使用されている前記アプリケーションとに基づく、ステップと、
前記入力解釈コンテキストを選択するステップに続いてジェスチャー入力を検出するステップと、
前記検出されたジェスチャー入力と、前記選択された入力解釈コンテキストとに基づいて、コマンドを実行するステップと
を含む方法。
【請求項２】
前記エンゲージメントポーズが、手のポーズを含み、前記手のポーズが、実質的に開いた手のひらと伸ばした指とを含むか、または、
前記エンゲージメントポーズが、手のポーズを含み、前記手のポーズが、握り拳と伸ばした腕とを含むか、または、
前記エンゲージメントポーズが、手のポーズを含み、前記選択するステップが、前記手のポーズが検出されるときの前記手の位置と無関係である、請求項1に記載の方法。
【請求項３】
エンゲージメントポーズを検出するステップが、ジェスチャー、またはセンサーの遮断を検出するステップを含むか、または、
エンゲージメントポーズを検出するステップが、音声エンゲージメントを検出するステップを含み、前記音声エンゲージメントが、ユーザが発話した語または句を含む、請求項1に記載の方法。
【請求項４】
前記エンゲージメントポーズが、複数のエンゲージメント入力のうちの1つを含み、前記複数のエンゲージメント入力の各々が、前記複数の入力解釈コンテキストのうちのそれぞれの1つに対応し、前記選択するステップが、前記エンゲージメントポーズに対応する前記入力解釈コンテキストを選択するステップを含む、請求項1に記載の方法。
【請求項５】
エンゲージメントポーズを検出する前記ステップに応答して、アクティブな入力解釈コンテキストを識別するユーザインターフェースを表示するステップをさらに含む、請求項1に記載の方法。
【請求項６】
前記方法が、
エンゲージメントポーズを検出する前記ステップに応答して、音声フィードバックを提供するステップをさらに含み、前記音声フィードバックが、アクティブな入力解釈コンテキストを識別する、請求項1に記載の方法。
【請求項７】
前記エンゲージメントポーズは前記ジェスチャー入力が検出されている間に維持され、前記エンゲージメントポーズを検出するステップは、前記エンゲージメントポーズを少なくとも閾値時間だけ維持するステップを含む、請求項1に記載の方法。
【請求項８】
前記方法が、前記エンゲージメントポーズを検出するステップより前に、1つまたは複数の要素を表示させるステップをさらに含み、前記選択するステップが、前記表示されている1つまたは複数の要素と無関係である、請求項1に記載の方法。
【請求項９】
前記ジェスチャー入力を検出するステップが、前記選択された入力解釈コンテキストに関連付けられた1つまたは複数のパラメータに基づいて、前記ジェスチャー入力を検出するステップを含む、請求項1に記載の方法。
【請求項１０】
前記エンゲージメントポーズを検出するステップに無関係なセンサー入力を無視するステップをさらに含み、前記無視するステップが、前記エンゲージメントポーズを検出するステップより前に行われる、請求項1に記載の方法。
【請求項１１】
エンゲージメントポーズを検出するステップが、
第1の機能を制御するための第1の入力解釈コンテキストに関連付けられた、第1のエンゲージメント入力を検出するステップと、
前記第1の機能とは異なる第2の機能を制御するための第2の入力解釈コンテキストに関連付けられた、第2のエンゲージメント入力を検出するステップと
を含み、
前記第1の機能が、自動車制御システム内の第1のタイプのサブシステムに関連付けられ、前記第2の機能が、前記自動車制御システム内の第2のタイプのサブシステムに関連付けられるか、または、
前記第1の機能が、メディアプレーヤアプリケーション内の第1のタイプのサブシステムに関連付けられ、前記第2の機能が、前記メディアプレーヤアプリケーション内の第2のタイプのサブシステムに関連付けられる、請求項1に記載の方法。
【請求項１２】
前記選択された入力解釈コンテキストが、グローバルに定義される、請求項1に記載の方法。
【請求項１３】
前記エンゲージメントポーズを検出するステップが、初期エンゲージメント入力と後のエンゲージメント入力とを検出するステップを含み、前記後のエンゲージメント入力を検出するステップが、前記初期エンゲージメント入力に関連付けられた入力解釈コンテキストを使用するステップを含む、請求項1に記載の方法。
【請求項１４】
アプリケーションが使用されている間にエンゲージメントポーズを検出するための手段と、
複数の入力解釈コンテキストの中から入力解釈コンテキストを選択するための手段であって、前記複数の入力解釈コンテキストは、使用されている前記アプリケーションに関連付けられ、前記選択は、前記エンゲージメントポーズと使用されている前記アプリケーションとに基づく、手段と、
入力解釈コンテキストを選択するステップに続いてジェスチャー入力を検出するための手段と、
前記ジェスチャー入力と、前記選択された入力解釈コンテキストとに基づいて、コマンドを実行するための手段と
を備える装置。
【請求項１５】
命令を記憶した非一時的コンピュータ可読記憶媒体であって、前記命令は、装置に、請求項１乃至１３の何れかに記載の方法を行わせるためのものである、非一時的コンピュータ可読記憶媒体。
【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
第１のパターンで配置された複数の連続的な微小ワイヤ導電体で構成される複合電極の配列を備える上部電極層と、
複数の電極を備える下部電極層と、
を備え、前記上部及び下部電極が、絶縁体層によって分離されると共に、前記上部及び下部電極が交差するノードを有する電極マトリックスを共同で画定し、
前記上部電極層の前記複合電極が前記複合電極から電気的に絶縁された内部区域を形成し、前記区域が不連続的な微小ワイヤ導電体で構成される、タッチスクリーンセンサ。
【請求項２】
タッチセンサで使用される微小ワイヤベースの電極であって、
パターン化された不連続的なパターン化された導電性微小ワイヤの内部区域を有する、パターン化された導電性微小ワイヤのメッシュを備える電極。
【請求項３】
タッチセンサで使用される微小ワイヤベースの電極であって、
第１の固有平均セル間隔を有する第１のメッシュパターンを画定する複数の連続的な微小導電体であって、前記第１のメッシュパターンが、第２の固有平均セル間隔を有する不連続的な微小導電体を備える内部区域を有する、複数の連続的な微小導電体を含み、
前記内部区域が、前記第２の固有平均セル間隔の領域の横寸法よりも大きい横寸法を有する領域を越えて延在する、微小ワイヤベースの電極。